(57)【特許請求の範囲】
【請求項１】
複数の迷路ユニットを組み合わせて一つの迷路を構成し、
前記迷路ユニットは、四本の枠形成棒、一本の補強棒および複数の固定ユニットから構成され、
四本の前記枠形成棒は、端部を相互に垂直に結合させて正方形のフレームを構成し、
前記枠形成棒は、一端に第１連結端を有するとともに他端に第２連結端を有し、
前記枠形成棒の前記第１連結端は、前記フレームの面方向に垂直な方向の片側に形成される切口、および、前記フレームの面方向に垂直な方向に貫通する第１穿孔を有し、
前記枠形成棒の前記第２連結端は、前記フレームの面方向に垂直な方向の片側に形成される切口、および、前記フレームの面方向に垂直な方向に貫通する第２穿孔を有し、
前記枠形成棒は、前記フレームの面方向に貫通する複数の第３穿孔を有し、
前記補強棒は、前記フレームの対角線上に斜めに配置され、両端に第３連結端を有し、
前記補強棒の前記第３連結端は、前記フレームの面方向に垂直な方向の両側に形成される二つの切口と、前記フレームの面方向に垂直な方向に貫通する第４穿孔とを有し、
前記固定ユニットは、前記フレーム上で重なる前記枠形成棒の前記第１連結端同士の前記第１穿孔に差し込まれるか、或いは、前記フレーム上で重なる前記枠形成棒の前記第２連結端の前記第２穿孔と前記補強棒の前記第３連結端の前記第４穿孔に差し込まれ、四本の前記枠形成棒と前記補強棒とを固定し、前記迷路ユニットを完成させることを特徴とする組立式迷路。
【請求項２】
前記枠形成棒の前記第１連結端に形成された前記切口は、前記第１連結端のうち前記フレームの面方向に垂直な方向の二分の一が切除されてなり、
前記枠形成棒の前記第２連結端に形成された前記切口は、前記第２連結端のうち前記フレームの面方向に垂直な方向の三分の二が切除されてなり、
前記補強棒の前記第３連結端に形成された前記切口は、前記第３連結端のうち前記フレームの面方向に垂直な方向の三分の一が切除されてなることを特徴とする請求項１の組立式迷路。
【請求項３】
前記固定ユニットは、紐であり、一端に形成された内側ねじ山と、他端に形成され前記内側ねじ山が螺合可能な外側ねじ山とを有することを特徴とする請求項１の組立式迷路。
【請求項４】
二つの前記迷路ユニット同士を相互に連結する際、一方の迷路ユニットを構成する前記枠形成棒の前記第３穿孔と、他方の迷路ユニットを構成する前記枠形成棒の前記第３穿孔とに前記固定ユニットを差し込むことによって二つの前記迷路ユニット同士を固定することを特徴とする請求項１の組立式迷路。
【発明の詳細な説明】
【技術分野】
【０００１】
本発明は、組立式迷路に関するものである。
【背景技術】
【０００２】
一般的に室外に設置され、娯楽または学習に用いられる迷路の建物は、複数の隔離板および複数の固定・連結ユニットから構成される。固定・連結ユニットの大半は、ねじまたは釘で構成されるため、組み立てられた迷路の通路は、容易には変更することができない。通路が変わらない迷路は、何回かプレイされると通路が覚えられゲームの楽しみおよびチャレンジ性がなくなってしまうため、人の興味を引き起こすことができなくなり、廃墟のような建物になってしまう。従って、迷路の新鮮さを保つには、定期的に通路を変更する必要がある。
【先行技術文献】
【特許文献】
【０００３】
【特許文献１】特開平１０−２９５９５１号公報
【発明の概要】
【発明が解決しようとする課題】
【０００４】
しかしながら、迷路のユニットを分解し、組み立て直すことは極めて手間がかかる。また、迷路を分解する際、隔離板は損壊し、リサイクルができなくなって廃棄物になってしまう事態が発生しやすいため、材料を無駄にしたり環境を汚染したりする。また、固定式迷路のユニットは体積が非常に大きいため、搬送が難しく、輸送の際に空間をかなり占有する。また一般の迷路に使用される隔離板は、組み立てられた後、空間を遮蔽するため、内部でゲームをプレイする人の動きを外部から観察することはできない。内部でゲームをプレイする人が子供である場合、子供は外部の大人から居場が確認されないことが原因で焦って泣きじゃくったり、危険を起こしたりするような事態が起こりやすい。
【０００５】
本発明は、このような点に鑑みて創作されたものであり、任意の場所に適用し、工具を使用する必要なく着脱を容易に行うことが可能なだけでなく容易に組み替えることができ、異なる通路を構成することによってゲームを変化させ、学習および娯楽効果を確実に達成し、使用上の安全性を向上させることが可能な組立式迷路を提供することを主な目的とする。
【課題を解決するための手段】
【０００６】
一般の迷路を組み立てて使用する際に生じた上述の欠点に対し、本発明者は研究および改良を絶えず進めた結果、本発明を完成させた。
本発明による組立式迷路は、複数の迷路ユニットを結合させて一つの迷路を構成する。迷路ユニットは四本の枠形成棒、一本の補強棒および複数の固定ユニットから構成される。四本の枠形成棒は端部を相互に垂直に結合させて正方形のフレームを構成する。枠形成棒は一端に第1連結端を有し、他端に第２連結端を有する。枠形成棒の第１連結端は切口および第１穿孔を有する。枠形成棒の第２連結端は切口および第２穿孔を有する。枠形成棒は複数の第３穿孔を有する。
【０００７】
補強棒はフレームの対角線上に斜めに配置され、両端に第３連結端を有する。補強棒の第３連結端はフレームの面方向に垂直な方向の両側に形成された切口と第３穿孔とを有する。複数の固定ユニットは、フレーム上で重なる枠形成棒の第１連結端同士の第１穿孔、または、フレーム上で重なる枠形成棒の第２連結端の第２穿孔と補強棒の第３連結端の第４穿孔に差し込まれ、四本の枠形成棒および一本の補強棒を固定し、迷路ユニットを完成させる。
【０００８】
本発明において、枠形成棒は第１連結端に形成された二分の一の切口と、第２連結端に形成された三分の二の切口とを有するのに対し、補強棒は第３連結端の両側に形成された三分の一の切口を有する。
本発明において、固定ユニットは紐である。紐は一端に形成された内側ねじ山と、他端に形成された外側ねじ山とを有する。
本発明は、迷路ユニットと迷路ユニットとを相互に連結する際、迷路ユニットの枠形成棒の相互に対応する第３穿孔に固定ユニットを差し込むことによって迷路ユニットを固定する。
【図面の簡単な説明】
【０００９】
【図１】本発明の一実施形態による迷路の組立構造を示す斜視図である。
【図２】本発明の一実施形態による迷路の組立構造においての枠形成棒および補強棒を示す平面図である。
【図３】本発明の一実施形態による迷路の組立構造においての固定ユニットを示す斜視図である。
【図４】本発明の一実施形態による迷路の組立構造においての迷路ユニットを示す斜視図である。
【図５】本発明の一実施形態による迷路の組立構造において、迷路ユニットを二つずつ相互に結合させた状態を示す分解図である。
【図６】本発明の一実施形態による迷路の組立構造に基づいて構成された迷路を示す斜視図である。
【図７】本発明の一実施形態による迷路の組立構造に基づいて構成された迷路を示す平面図である。
【図８】本発明の一実施形態による迷路の組立構造に基づいて構成された別の迷路を示す斜視図である。
【発明を実施するための形態】
【００１０】
以下、本発明による組立式迷路を図面に基づいて説明する。
（一実施形態）
図１から図３に示すように、本実施形態は複数の迷路ユニット１を結合させて一つの迷路を構成する。迷路ユニット１は四本の枠形成棒１０、一本の補強棒１１および複数の固定ユニット１２から構成される。四本の枠形成棒１０は相互に垂直に結合して正方形のフレームを構成する。枠形成棒１０は両端に「第１連結端」としての連結端１００、「第２連結端」としての連結端１０１を有する。連結端１００は二分の一の切口１０２および「第１穿孔」としての穿孔１０４を有する。別の連結端１０１は三分の二の切口１０３および「第２穿孔」としての穿孔１０５を有する。枠形成棒１０は壁面に複数の「第３穿孔」としての穿孔１０６を有する。
【００１１】
補強棒１１は四本の枠形成棒１０内に斜めに配置され、両端に「第３連結端」としての連結端１１０を有する。二つの連結端１１０は両側に形成された三分の一切口１１１と「第４穿孔」としての穿孔１１２とを有する。複数の固定ユニット１２は相互に垂直に結合する四本の枠形成棒１０上の連結端１００の穿孔１０４、連結端１０１の穿孔１０５および補強棒１１上の連結端１１０の穿孔１１２に差し込まれる。固定ユニット１２は紐から構成されてもよい。固定ユニット１２は四本の枠形成棒１０および一本の補強棒１１を固定する。固定ユニット１２は一端に形成された内側ねじ山１２０と他端に形成された外側ねじ山１２１とを有する。以上は迷路の組立構造についての説明である。
【００１２】
図１から図５に示すように、組み立てる際、二本の枠形成棒１０の連結端１００を相互に垂直に連結し、９０度の角度を呈する。このとき二本の枠形成棒１０の連結端１００は相互に対応する二分の一の切口１０２に据えられ、二本の枠形成棒１０の連結端１００上の穿孔１０４は互いに対応する。続いて二つの相互に対応する連結端１００の穿孔１０４内に固定ユニット１２を差し込み、固定ユニット１２の一端の外側ねじ山１２１と他端の内側ねじ山１２０とを噛み合わせることによって二本の枠形成棒１０上の相互に連結された端部を固定する。
【００１３】
続いて補強棒１１の二つの連結端１１０をそれぞれ二本の垂直に連結された枠形成棒１０の別の連結端１０１上の三分の二の切口１０３内に位置させ、補強棒１１の連結端１１０上の穿孔１１２と枠形成棒１０の別の連結端１０１上の穿孔１０５を相互に対応させる。続いて上述した方法によって別の二本の枠形成棒１０を相互に垂直に連結し、９０度の角度を呈する。
【００１４】
続いて、別の二本の枠形成棒１０の別の連結端１０１を補強棒１１の連結端１１０に位置させ、二本の枠形成棒１０の連結端１０１上の穿孔１０５と補強棒１１の連結端１１０上の穿孔１１２とを相互に対応させる。続いて相互に対応する穿孔１０５、１１２内に固定ユニット１２を差し込み、固定ユニット１２の一端の外側ねじ山１２１と他端の内側ねじ山１２０とを噛み合わせることによって図４に示すように四本の枠形成棒１０と補強棒１１を固定し、一つの迷路ユニット１を構成する。図５に示すように、二つの迷路ユニット１を相互に密接させ、相互に密接した枠形成棒１０の壁面上の穿孔１０６を相互に対応させ、そののち相互に対応する穿孔１０６内に固定ユニット１２を差し込んで締め付け、二つの迷路ユニット１を連結・固定すれば、迷路ユニット１の結合が完成する。
【００１５】
図６から図８に示すように、ゲームをプレイする際、設計した迷路の通路に基づいて上述した方法で結合した複数のグループの迷路ユニット１を組み合わせ、迷路２を構成することができる。図７および図８に示すように、相互に連結された迷路ユニット１の角度を任意に調整することによって形が異なる迷路２を構成することができる。
本実施形態の迷路ユニット１は工具を使用する必要なく着脱を行うことができるため、着脱が極めて容易かつ迅速である。また任意の地形および場所に対応し、組み立てることができるだけでなく、必要に応じ組立を任意に変更して通路が異なる迷路２を構成することによってゲームを変化させ、迷路ゲームの新鮮さを保ち、学習および娯楽効果を確実に達成することができる。
【００１６】
また本実施形態による迷路ユニット１は分解された後、体積が小さく、あまり場所を取らないため、搬送に便利であるだけでなく、運送コストを削減することができる。また迷路ユニット１を繰り返して使用することができるだけでなく、損壊が発生しにくい。また迷路ユニット１が組み立てられた後、中空状を呈するため、迷路２の外部から内部のプレイヤーの動きを直接観察することができる。内部のプレイヤーが子供である場合、外部から子供の居場所を明確に確認し、子供の動きを把握することができるため、使用上の安全性が極めて高い。
【００１７】
上述したことにより、本発明は所期の目的および効果を達成できるだけでなく、従来のものより好ましく実用性が高いことが判明した。以上、本発明は、上記実施形態になんら限定されるものではなく、発明の趣旨を逸脱しない範囲において種々の形態で実施可能である。
【符号の説明】
【００１８】
１：迷路ユニット、  １０：枠形成棒、  １００：連結端（第１連結端）、  １０１：連結端（第２連結端）、  １０２：二分の一の切口、  １０３：三分の二の切口、  １０４：穿孔（第１穿孔）、  １０５：穿孔（第２穿孔）、  １０６：穿孔（第３穿孔）、  １１：補強棒、  １１０：連結端（第３連結端）、  １１１：三分の一の切口、  １１２：穿孔（第４穿孔）、  １２：固定ユニット、  １２０：内側ねじ山、  １２１：外側ねじ山、  ２：迷路
【図１】
0005346361.tif 000002
【図２】
0005346361.tif 000003
【図３】
0005346361.tif 000004
【図４】
0005346361.tif 000005
【図５】
0005346361.tif 000006
【図６】
0005346361.tif 000007
【図７】
0005346361.tif 000008
【図８】
0005346361.tif 000009